(57)【要約】【課題】情報処理装置の機能性の向上及び小型化を図る。【解決手段】ディスプレイ５に表示される画面の角度を変更する角度変更釦としての機能と画面の解像度を変更する解像度変更釦としての機能とを有する兼用釦１８を設け、該兼用釦に対する押圧時間の相違又は押圧回数の相違によって上記画面の角度の変更又は解像度の変更を行うようにした。【選択図】          図７
2004246601.tif 000002
【特許請求の範囲】
【請求項１】
ディスプレイを備えた情報処理装置であって、
ディスプレイに表示される画面の角度を変更する角度変更釦としての機能と画面の解像度を変更する解像度変更釦としての機能とを有する兼用釦を設け、
該兼用釦に対する押圧時間の相違又は押圧回数の相違によって上記画面の角度の変更又は解像度の変更が行われるようにした
ことを特徴とする情報処理装置。
【請求項２】
表示用筐体にディスプレイが配置された表示部と、
複数の所定の操作キーを有するキーボードが設けられた装置本体部と、
キーボードが開閉される方向へ表示部を装置本体部に回動自在に支持するヒンジ部とを設け、
該ヒンジ部はヒンジ筒と該ヒンジ筒の内部に配置されたヒンジ軸とを有し、
表示部とキーボードとの間におけるヒンジ軸の軸方向における一端部に上記兼用釦を配置した
ことを特徴とする請求項１に記載の情報処理装置。
【請求項３】
上記画面の角度の変更時に、画面の壁紙又はスクリーンセーバーの角度を画面の変更角度と同じ角度に変更した
ことを特徴とする請求項１に記載の情報処理装置。
【請求項４】
ディスプレイに表示されるカーソルを所定の方向へ移動させる複数のカーソルキーを設け、
上記画面の角度の変更時に、各カーソルキーの操作によるカーソルの移動方向を画面の変更角度と同じ角度変更した
ことを特徴とする請求項１に記載の情報処理装置。
【請求項５】
ディスプレイに表示されるポインタを任意の方向へ移動させるポインティングデバイスを設け、
上記画面の角度の変更時に、ポインティングデバイスの操作によるポインタの移動方向を画面の変更角度と同じ角度変更した
ことを特徴とする請求項１に記載の情報処理装置。
【発明の詳細な説明】
【０００１】
【発明の属する技術分野】
本発明は情報処理装置に関する。詳しくは、情報処理装置の機能性の向上及び小型化を図る技術分野に関する。
【０００２】
【従来の技術】
ディスプレイと複数の所定の操作キーを有するキーボードとを備えた情報処理装置、例えば、パーソナルコンピューターやＰＤＡ（Ｐｅｒｓｏｎａｌ  Ｄｉｇｉｔａｌ  Ａｓｓｉｓｔａｎｔ）等があり、このような情報処理装置には、例えば、所定のソフトウェアの起動、起動されているアプリケーションプログラムの終了、一時的にシステム全体の動作を停止するスタンバイ状態の設定、ディスプレイに表示される画面の角度の変更等の各種の機能の実行を１回の押圧操作で行うことができる所謂ホットキーと称される釦が配置されているものがある（例えば、特許文献１参照）。
【０００３】
【特許文献１】
特開２０００―２４２３９５号公報
【０００４】
【発明が解決しようとする課題】
ところが、上記した従来の情報処理装置にあっては、所定のソフトウェアの起動等をホットキーに対する一度の操作によって行うことができるが、実行される各１つの機能毎に専用のホットキーが設けられているため、その分、ホットキーの配置スペースが大きく情報処理装置が大型となり易い。
【０００５】
一方、情報処理装置の小型化を図るためにホットキーの数を減じたり、ホットキーの大きさを小さくしたりすることが考えられるが、ホットキーの数を減じた場合には実行される機能も少なくなり機能性の低下を来たし、ホットキーの大きさを小さくした場合には操作性が悪くなるという問題が生じてしまう。
【０００６】
そこで、本発明情報処理装置は、上記した問題点を克服し、情報処理装置の機能性の向上及び小型化を図ることを課題とする。
【０００７】
【課題を解決するための手段】
本発明情報処理装置は、上記した課題を解決するために、ディスプレイに表示される画面の角度を変更する角度変更釦としての機能と画面の解像度を変更する解像度変更釦としての機能とを有する兼用釦を設け、該兼用釦に対する押圧時間の相違又は押圧回数の相違によって上記画面の角度の変更又は解像度の変更を行うようにしたものである。
【０００８】
従って、本発明情報処理装置にあっては、兼用釦に対する１回の操作によって異なる機能が実行される。
【０００９】
【発明の実施の形態】
以下に、本発明の実施の形態を添付図面に従って説明する。尚、以下に示す実施の形態は、本発明を携帯機器としても使用可能な情報処理装置（パーソナルコンピューター）に適用したものである。
【００１０】
情報処理装置１は表示部２と装置本体部３とを備えている（図１乃至図３参照）。
【００１１】
表示部２は表示用筐体４と該表示用筐体４に配置されたディスプレイ５とを有している。
【００１２】
表示用筐体４は、外形が略矩形状に形成された枠状を為すフロントパネル６と、外形が略矩形状に形成されフロントパネル６側に開口された浅い箱状を為すリアパネル７とが結合されて成り、表示用筐体４の外周側の部分が枠部８として設けられている。
【００１３】
表示部２は装置本体部３の後端部において、左右方向に延びるヒンジ部９を介して回動自在に支持されている。表示部２は非使用時には装置本体部３の後述するキーボードを閉塞する閉塞位置まで回動される（図２参照）。
【００１４】
ヒンジ部９は、図１及び図３に示すように、ヒンジ筒１０と該ヒンジ筒１０の内部に配置されたヒンジ軸１１、１１とによって構成され、ヒンジ筒１０は表示側ヒンジ筒１２と本体側ヒンジ筒１３、１３とから成る。
【００１５】
表示側ヒンジ筒１２は表示用筐体４から突出され、該表示用筐体４と一体に形成されている。
【００１６】
本体側ヒンジ筒１３、１３は装置本体部３の後縁から突出され、該装置本体部３の外筐と一体に形成されている。
【００１７】
表示側ヒンジ筒１２の左右両端部と本体側ヒンジ筒１３、１３との間には、図１及び図３に示すように、それぞれヒンジ軸１１、１１が配置され、該ヒンジ軸１１、１１によって表示側ヒンジ筒１２と本体側ヒンジ筒１３、１３とが連結されている。
【００１８】
装置本体部３の上面部３ａには、図１に示すように、その後端部を除いた部分に横長のキーボード１４が設けられ、該キーボード１４は複数の所定の操作キー１５、１５、・・・を有している。装置本体部３の内部には後述するＣＰＵ（中央演算処理装置）等の処理手段が設けられており、キーボード１４の操作キー１５、１５、・・・等に対する操作によって入力された信号についての各処理が行われる。
【００１９】
装置本体部３の上面部３ａの後端部には、その右端部に、ポインティングデバイス１６が配置されている。ポインティングデバイス１６に任意の方向へ指で力を加えて操作することにより、ディスプレイ５に表示されるポインタを操作の方向に応じた任意の方向へ移動させることができる。
【００２０】
ポインティングデバイス１６の外周側の近傍の位置には、周方向に等間隔に離隔して４つのカーソルキー、即ち、第１のカーソルキー１７ａ、第２のカーソルキー１７ｂ、第３のカーソルキー１７ｃ及び第４のカーソルキー１７ｄが配置されている。カーソルキー１７ａ、１７ｂ、１７ｃ、１７ｄは９０°ずつの等間隔に配置され、第３のカーソルキー１７ｃと第１のカーソルキー１７ａがポインティングデバイス１６を挟んで前後に配置され、第４のカーソルキー１７ｄと第２のカーソルキー１７ｂがポインティングデバイス１６を挟んで左右に配置されている。カーソルキー１７ａ、１７ｂ、１７ｃ、１７ｄを操作することにより、ディスプレイ５上に表示されるカーソルを所定の方向、即ち、上下左右へ移動させることができる。
【００２１】
カーソルキー１７ａ、１７ｂ、１７ｃ、１７ｄの外側の近傍の位置には、それぞれ円弧状に形成された兼用釦１８と補助入力釦１９とが配置されている。
【００２２】
兼用釦１８は、ディスプレイ５に表示される画面の角度を変更する角度変更釦としての機能と画面の解像度を変更する解像度変更釦としての機能とを有する。
【００２３】
従って、情報処理装置１にあっては、兼用釦１８を操作することにより、ディスプレイ５に表示される画面を９０°回転させることができると共に画面の拡大表示をすることができる。
【００２４】
補助入力釦１９は簡易な操作で文字入力を行うためのソフトウェアの起動等を行うためのものである。
【００２５】
装置本体部３の上面部３ａの後端部には、その左端部にマウスの各釦に相当する左釦２０、右釦２１及び中釦２２が配置されている。左釦２０と右釦２１は中釦２２を周囲から囲むように配置され、それぞれ円弧状に形成されている。
【００２６】
装置本体部３の上面部３ａの後端部には、兼用釦１８及び補助入力釦１９の左側の位置に、それぞれ電源釦２３、スタンバイ釦２４及び輝度調整釦２５が左右に離隔して配置されている。電源釦２３は電源の入力を行うためのものであり、スタンバイ釦２４は省電力動作モードと通常の電力動作モードとの切替を行うためのものであり、輝度調整釦２５はディスプレイ５のバックライトの点灯制御を行うためのものである。
【００２７】
上記したキーボード１４の操作キー１５、１５、・・・、ポインティングデバイス１６、カーソルキー１７ａ、１７ｂ、１７ｃ、１７ｄ、兼用釦１８、補助入力釦１９、左釦２０、右釦２１、中釦２２、電源釦２３、スタンバイ釦２４及び輝度調整釦２５は、情報処理装置１に設けられた後述する操作手段を構成する。
【００２８】
装置本体部３の上面部３ａの後端部には、電源釦２３の左側の位置に、スピーカー２６が設けられている。
【００２９】
情報処理装置１を使用する際には、表示部２を装置本体部３に対して任意の角度開放する（図１、図４及び図５参照）。このように表示部２を装置本体部３に対して任意の角度開放することにより、情報処理装置１を据置用の機器又は携帯用の機器として使用することができる。
【００３０】
情報処理装置１を携帯用の機器として使用する場合には、操作者は、例えば、図４に示すように、装置本体部３の左右両側縁を両手で把持した状態で操作する。
【００３１】
また、情報処理装置１にあっては、上記したように、兼用釦１８を操作することにより、表示画面を９０°回転させることが可能であるため、例えば、情報処理装置１を携帯用の機器として使用する場合に、図５に示すように、装置本体部３と表示部２とが左右に位置するように横向きにして使用することもできる。
【００３２】
以下に、情報処理装置１のハードウェア構成例について説明する（図６参照）。
【００３３】
情報処理装置１においては、制御中枢であるＣＰＵ２７に対して、主記憶装置２８、補助記憶装置２９、表示制御部３０、組込コントローラ３１がバス３２を介して接続されている。
【００３４】
主記憶装置２８には、ＲＯＭ（読み出し専用メモリ）及びＲＡＭ（ランダムアクセスメモリ）が設けられている。
【００３５】
補助記憶装置２９には、例えば、固定ディスク（所謂ハードディスク）ドライブ装置、光学読取式ディスク（光ディスクや光磁気ディスク等）のドライブ装置、磁気ディスク（フレキシブルディスク等）ドライブ装置、着脱自在な携帯型の半導体メモリ（例えば、スティック状の記憶媒体等）及びインターフェイス部等が含まれる。
【００３６】
表示制御部３０は表示部２を制御し、表示デバイスコントローラやビデオメモリ（ＶＲＡＭ）等を備えている。
【００３７】
組込コントローラ（Ｅｍｂｅｄｄｅｄ  Ｃｏｎｔｒｏｌｌｅｒ）３１は、キーボード１４の操作キー１５、１５、・・・、ポインティングデバイス１６、カーソルキー１７ａ、１７ｂ、１７ｃ、１７ｄ、兼用釦１８、補助入力釦１９、左釦２０、右釦２１、中釦２２、電源釦２３、スタンバイ釦２４及び輝度調整釦２５によって構成される操作手段３３に対する制御、各部の状態の監視、操作情報等を受けてＣＰＵ２７への割り込み処理等を行い、操作入力処理用インターフェイスとしての機能を有する。状態監視の対象については、ＡＣアダプタ及びバッテリパックの接続状態や電源電圧、デバイスの消費電力等が挙げられる。
【００３８】
組込コントローラ３１には、操作手段３３の処理を受け持つ制御部が設けられている。
【００３９】
以下に、兼用釦１８を操作したときに実行される機能について説明する。
【００４０】
情報処理装置１においては、表示画面のサイズに関して、通常モードと拡大モードの設定が可能であり、表示画面の向きに関して、水平モードと垂直モードの設定が可能である（図７参照）。
【００４１】
通常モードは、画素数が、例えば、１０２４×７６８に設定され、拡大モードは、画素数が、例えば、８００×６００に設定されている。
【００４２】
水平モードは左右方向がヒンジ軸１１、１１の軸方向（図４及び図５に示すＸ―Ｘ方向）となり上下方向がヒンジ軸１１、１１の軸方向に直交する方向（図４及び図５に示すＹ―Ｙ方向）となり、垂直モードは上下方向がヒンジ軸１１、１１の軸方向（図４及び図５に示すＸ―Ｘ方向）となり左右方向がヒンジ軸１１、１１の軸方向に直交する方向（図４及び図５に示すＹ―Ｙ方向）となる。
【００４３】
例えば、表示画面が、図８に示すように、水平モードかつ通常モードであるときに兼用釦１８を短く押圧操作すると、図９に示すように、水平モードかつ拡大モードが設定される（図７のＳ１→Ｓ２）。逆に、表示画面が、図９に示すように、水平モードかつ拡大モードであるときに兼用釦１８を短く押圧操作すると、図８に示すように、水平モードかつ通常モードが設定される（図７のＳ２→Ｓ１）。
【００４４】
表示画面が、図９に示すように、水平モードかつ拡大モードであるときに兼用釦１８を長く押圧操作すると、図１０に示すように、垂直モードかつ拡大モードが設定される（図７のＳ２→Ｓ３）。逆に、表示画面が、図１０に示すように、垂直モードかつ拡大モードであるときに兼用釦１８を長く押圧操作すると、図９に示すように、水平モードかつ拡大モードが設定される（図７のＳ３→Ｓ２）。
【００４５】
表示画面が、図１０に示すように、垂直モードかつ拡大モードであるときに兼用釦１８を短く押圧操作すると、図１１に示すように、垂直モードかつ通常モードが設定される（図７のＳ３→Ｓ４）。逆に、表示画面が、図１１に示すように、垂直モードかつ通常モードであるときに兼用釦１８を短く押圧操作すると、図１０に示すように、垂直モードかつ拡大モードが設定される（図７のＳ４→Ｓ３）。
【００４６】
表示画面が、図１１に示すように、垂直モードかつ通常モードであるときに兼用釦１８を長く押圧操作すると、図８に示すように、水平モードかつ通常モードが設定される（図７のＳ４→Ｓ１）。逆に、表示画面が、図８に示すように、水平モードかつ通常モードであるときに兼用釦１８を長く押圧操作すると、図１１に示すように、垂直モードかつ通常モードが設定される（図７のＳ１→Ｓ４）。
【００４７】
例えば、縦書きの文書で表示された画面やウェブサイトの閲覧等の場合には、上記のように垂直モードが設定された状態において情報処理装置１を使用すれば、情報量が多く表示され便利である。
【００４８】
上記した水平モードと垂直モードとの設定の切替においては、各モードに応じて表示画面の壁紙の角度も変更される。即ち、水平モードにおいては、図８及び図９に示すように、壁紙の絵柄の左右がＸ―Ｘ方向となるように設定されると共に壁紙の文字（例えば、横書きの文字）がＸ―Ｘ方向に並らぶように設定され、垂直モードにおいては、図１０及び図１１に示すように、壁紙の絵柄の左右がＹ―Ｙ方向となるように設定されると共に壁紙の文字がＹ―Ｙ方向に並らぶように設定される。
【００４９】
尚、情報処理装置１にあっては、水平モードと垂直モードとの設定の切替において、各モードに応じてスクリーンセーバーの角度も壁紙と同様に変更されるようになっている。
【００５０】
また、水平モードと垂直モードとの設定の切替においては、各モードに応じてカーソルキー１７ａ、１７ｂ、１７ｃ、１７ｄの操作によるカーソルの移動方向も変更される。即ち、水平モードにおいても垂直モードにおいても、第１のカーソルキー１７ａと第３のカーソルキー１７ｃを操作することによってＹ―Ｙ方向へカーソルが移動され、第２のカーソルキー１７ｂと第４のカーソルキー１７ｄを操作することによってＸ―Ｘ方向へカーソルが移動されるように設定される。
【００５１】
同様に、水平モードと垂直モードとの設定の切替においては、各モードに応じてポインティングデバイス１６の操作によるポインタの移動方向もカーソルキー１７ａ、１７ｂ、１７ｃ、１７ｄの操作によるポインタの移動方向と同様に設定される。
【００５２】
図１２は、上記組込コントローラ（ＥＣ）３１及び操作手段３３と、ダイナミックリンクライブラリ（ＤＬＬ）３４、アプリケーションプログラム３５等との関係について示したものである。操作手段３３は、上記したように、キーボード１４の操作キー１５、１５、・・・、ポインティングデバイス１６、カーソルキー１７ａ、１７ｂ、１７ｃ、１７ｄ、兼用釦１８、補助入力釦１９、左釦２０、右釦２１、中釦２２、電源釦２３、スタンバイ釦２４及び輝度調整釦２５によって構成される。
【００５３】
操作手段３３に対する操作状態は組込コントローラ３１により検出され、ダイナミックリンクライブラリ３４に通知される。
【００５４】
ダイナミックリンクライブラリ３４は、上層のアプリケーション層に位置するプログラムに対して各種の処理を行うサブルーチン群であり、実行時にアプリケーションから呼ばれてリンクされる。例えば、アプリケーションからのファンクションコールを受けたり、必要に応じてメッセージをアプリケーションに通知する。
【００５５】
アプリケーションプログラム３５は処理用ユーティリティ「ＨＳ」（Ｈｏｔｋｅｙ  Ｓｅｒｖ）であり、アプリケーションプログラム３５によって各情報がキーボードコントローラ（Ｋｅｙｂｏａｒｄ）３６、ビデオコントローラ（Ｖｉｄｅｏ）３７、ポインティングコントローラ（Ｐｏｉｎｔｉｎｇ）３８及びオペレーティングシステム（ＯＳ）３９の一部の機能に通知される。
【００５６】
キーボードコントローラ３６はアプリケーションプログラム３５からの通知に基づいて、キーボード１４の操作キー１５、１５、・・・やカーソルキー１７ａ、１７ｂ、１７ｃ、１７ｄ等の操作に応じた各処理を行う。従って、上記した水平モードと垂直モードとの設定の切替時におけるカーソルキー１７ａ、１７ｂ、１７ｃ、１７ｄの操作に応じたカーソルの移動方向の変更処理は、キーボードコントローラ３６によって行われる。
【００５７】
ビデオコントローラ３７はアプリケーションプログラム３５からの通知に基づいて、表示部２に対する各処理を行う。
【００５８】
ポインティングコントローラ３８はアプリケーションプログラム３５からの通知に基づいて、ポインティングデバイス１６等の操作に応じた各処理を行う。従って、上記した水平モードと垂直モードとの設定の切替時におけるポインティングデバイス１６の操作に応じたポインタの移動方向の変更処理は、ポインティングコントローラ３８によって行われる。
【００５９】
オペレーションシステム３９はアプリケーションプログラム３５からの通知に基づいて、情報処理装置１の全体を統括する各処理を行う。上記した水平モードと垂直モードとの設定の切替時における壁紙及びスクリーンセーバーの角度の変更処理は、アプリケーションプログラム３５からの通知を受けてオペレーティングシステム３９によって行われる。尚、壁紙及びスクリーンセーバーの角度の変更は、予め、水平用と垂直用の２種類の壁紙又はスクリーンセーバーを用意しておき、水平モードの設定時には画面に水平用の壁紙又はスクリーンセーバーを表示し、垂直モードの設定時には画面に垂直用の壁紙又はスクリーンセーバーを表示することにより行うようにすることが可能である。
【００６０】
図１３及び図１４は、兼用釦１８が操作されたときの各部の動作を示すものである。
【００６１】
先ず、兼用釦１８が長く押圧操作されたときの動作について説明する（図１３参照）。
【００６２】
兼用釦１８が押圧操作されると、組込コントローラ（ＥＣ）３１によって兼用釦１８が押圧されたことが検出され、その旨がアプリケーションプログラム（ＨＳ）３５に通知される（Ｋｅｙ  Ｄｏｗｎ）。組込コントローラ３１からの通知に基づいてアプリケーションプログラム３５からオペレーティングシステム（ＯＳ）３９にタイマーのカウント開始指令が通知され（Ｓｅｔ  Ｔｉｍｅｒ）、オペレーティングシステム３９はタイマーのカウントを開始する（Ｏｎ  Ｔｉｍｅｒ）。このときアプリケーションプログラム３５によって組込コントローラ３１の状態が監視されている。
【００６３】
所定時間経過後にアプリケーションプログラム３５からオペレーティングシステム３９にタイマーのカウント終了指令が通知され（Ｋｉｌｌ  Ｔｉｍｅｒ）、オペレーティングシステム３９はタイマーのカウントを終了する。タイマーのカウントが終了した時点では、依然として兼用釦１８が押圧されており、アプリケーションプログラム３５から上位のアプリケーションプログラム（ＨＫＵＩ）４０に兼用釦１８が長く押圧操作された旨が通知される（長押し通知）。アプリケーションプログラム４０は処理用ユーティリティ「ＨＫＵＩ」（Ｈｏｔｋｅｙ  Ｕｓｅｒ  Ｉｎｔｅｒｆａｃｅ）である。
【００６４】
アプリケーションプログラム３５からの長押し通知に基づいて、上記したように、表示画面の角度の変更処理が行われる。
【００６５】
アプリケーションプログラム３５からの長押し通知が行われた後に、兼用釦１８の押圧操作が解除されると、組込コントローラ３１によって兼用釦１８の押圧が解除されたことが検出され、その旨がアプリケーションプログラム３５に通知される（Ｋｅｙ  Ｕｐ）。
【００６６】
次に、兼用釦１８が短く押圧操作されたときの動作について説明する（図１４参照）。
【００６７】
兼用釦１８が押圧操作されると、組込コントローラ３１によって兼用釦１８が押圧されたことが検出され、その旨がアプリケーションプログラム３５に通知される（Ｋｅｙ  Ｄｏｗｎ）。組込コントローラ３１からの通知に基づいてアプリケーションプログラム３５からオペレーティングシステム３９にタイマーのカウント開始指令が通知され（Ｓｅｔ  Ｔｉｍｅｒ）、オペレーティングシステム３９はタイマーのカウントを開始する（Ｏｎ  Ｔｉｍｅｒ）。このときアプリケーションプログラム３５によって組込コントローラ３１の状態が監視されている。
【００６８】
兼用釦１８の押圧操作が解除されると、組込コントローラ３１によって兼用釦１８の押圧が解除されたことが検出され、その旨がアプリケーションプログラム３５に通知される（Ｋｅｙ  Ｕｐ）。
【００６９】
所定時間経過後にアプリケーションプログラム３５からオペレーティングシステム３９にタイマーのカウント終了指令が通知され（Ｋｉｌｌ  Ｔｉｍｅｒ）、オペレーティングシステム３９はタイマーのカウントを終了する。タイマーのカウントが終了した時点では、既に兼用釦１８の押圧が解除されており、アプリケーションプログラム３５から上位のアプリケーションプログラム４０に兼用釦１８が短く押圧操作された旨が通知される（短押し通知）。
【００７０】
アプリケーションプログラム３５からの短押し通知に基づいて、上記したように、表示画面の解像度の変更制御が行われる。
【００７１】
以上に記載した通り、情報処理装置１にあっては、押圧時間の相違又は押圧回数の相違によって表示画面の角度の変更と解像度の変更を行うことのできる兼用釦１８を設けているため、操作手段３３の配置スペースを小さくすることができ、情報処理装置１の小型化を図ることができる。
【００７２】
また、情報処理装置１に設定される機能を減じることがなく、また、釦の大きさを小さくする必要がないため、情報処理装置１の機能性の向上及び操作性の向上を図ることができる。
【００７３】
さらに、兼用釦１８を表示部２とキーボード１４との間におけるヒンジ軸１１、１１の軸方向における一端部に配置しているため、情報処理装置１を携帯用の機器として使用する際に装置本体部３を把持した一方の手によって装置本体部３を把持したままで兼用釦１８を操作することができ、情報処理装置１を携帯用の機器として使用する際の使い勝手の向上を図ることができる。
【００７４】
さらにまた、表示画面の角度の変更時に壁紙及びスクリーンセーバーの角度を画面の変更角度と同じ角度に変更するようにしているため、表示画面を見たときの違和感がなく、情報処理装置１の使い勝手の向上を図ることができる。
【００７５】
加えて、表示画面の角度の変更時に、各カーソルキー１７ａ、１７ｂ、１７ｃ、１７ｄの操作によるカーソルの移動方向及びポインティングデバイス１６の操作によるポインタの移動方向が表示画面の変更角度と同じ角度変更されるため、表示画面の角度に応じた方向へカーソル及びポインタが移動され、良好な操作感を得ることができる。
【００７６】
尚、上記には、表示画面の解像度を２段階に変更する例について説明したが、解像度の変更は２段階に限られることはなく、３段階以上の変更を行うことができるようにしてもよい。
【００７７】
また、表示画面の角度の変更は、兼用釦１８を押圧操作するごとに同じ方向（右回り又は左回り）に順に９０°ずつ回転されるようにすることも可能である。
【００７８】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００７９】
【発明の効果】
以上に記載したところから明らかなように、本発明情報処理装置は、ディスプレイを備えた情報処理装置であって、ディスプレイに表示される画面の角度を変更する角度変更釦としての機能と画面の解像度を変更する解像度変更釦としての機能とを有する兼用釦を設け、該兼用釦に対する押圧時間の相違又は押圧回数の相違によって上記画面の角度の変更又は解像度の変更が行われるようにしたことを特徴とする。
【００８０】
従って、情報処理装置に設けられる各釦及び各キーの配置スペースを小さくすることができ、情報処理装置の小型化を図ることができる。
【００８１】
また、情報処理装置に設定される機能を減じることがなく、また、釦の大きさを小さくする必要がないため、情報処理装置の機能性の向上及び操作性の向上を図ることができる。
【００８２】
請求項２に記載した発明にあっては、表示用筐体にディスプレイが配置された表示部と、複数の所定の操作キーを有するキーボードが設けられた装置本体部と、キーボードが開閉される方向へ表示部を装置本体部に回動自在に支持するヒンジ部とを設け、該ヒンジ部にヒンジ筒と該ヒンジ筒の内部に配置されたヒンジ軸とを設け、表示部とキーボードとの間におけるヒンジ軸の軸方向における一端部に上記兼用釦を配置したので、情報処理装置を携帯用の機器として使用する際に装置本体部を把持した一方の手によって装置本体部を把持したままで兼用釦を操作することができ、情報処理装置を携帯用の機器として使用する際の使い勝手の向上を図ることができる。
【００８３】
請求項３に記載した発明にあっては、上記画面の角度の変更時に、画面の壁紙又はスクリーンセーバーの角度を画面の変更角度と同じ角度に変更したので、画面を見たときの違和感がなく、情報処理装置の使い勝手の向上を図ることができる。
【００８４】
請求項４に記載した発明にあっては、ディスプレイに表示されるカーソルを所定の方向へ移動させる複数のカーソルキーを設け、上記画面の角度の変更時に、各カーソルキーの操作によるカーソルの移動方向を画面の変更角度と同じ角度変更したので、カーソルキーを操作したときに画面の角度に応じた方向へカーソルが移動され、良好な操作感を得ることができる。
【００８５】
請求項５に記載した発明にあっては、ディスプレイに表示されるポインタを任意の方向へ移動させるポインティングデバイスを設け、上記画面の角度の変更時に、ポインティングデバイスの操作によるポインタの移動方向を画面の変更角度と同じ角度変更したので、ポインティングデバイスを操作したときに画面の角度に応じた方向へポインタが移動され、良好な操作感を得ることができる。
【図面の簡単な説明】
【図１】図２乃至図１４と共に本発明の実施の形態を示すものであり、本図は表示部を開いた状態で示す情報処理装置の斜視図である。
【図２】表示部を閉じた状態で示す情報処理装置の斜視図である。
【図３】表示部を閉じた状態で示す情報処理装置の背面図である。
【図４】図５と共に情報処理装置を携帯用の機器として使用する場合の使用例を示すものであり、本図は一例を示す斜視図である。
【図５】別の一例を示す斜視図である。
【図６】情報処理装置のハードウェア構成例を示すブロック図である。
【図７】情報処理装置に設けられた表示画面の各モードの遷移状態を示す概念図である。
【図８】図９乃至図１１と共に表示画面の各モードを示すものであり、本図は水平モードかつ通常モードの状態を示す正面図である。
【図９】水平モードかつ拡大モードの状態を示す正面図である。
【図１０】垂直モードかつ拡大モードの状態を示す正面図である。
【図１１】垂直モードかつ通常モードの状態を示す正面図である。
【図１２】組込コントローラ及び操作手段と、ダイナミックリンクライブラリ、アプリケーションプログラム等との関係について示す図である。
【図１３】図１４と共に兼用釦が押圧操作されたときの動作を示すものであり、本図は兼用釦が長く押圧されたときの動作を示す図である。
【図１４】兼用釦が短く押圧されたときの動作を示す図である。
【符号の説明】
１…情報処理装置、２…表示部、３…装置本体部、５…ディスプレイ、９…ヒンジ部、１０…ヒンジ筒、１１…ヒンジ軸、１４…キーボード、１５…操作キー、１６…ポインティングデバイス、１７ａ…第１のカーソルキー、１７ｂ…第２のカーソルキー、１７ｃ…第３のカーソルキー、１７ｄ…第４のカーソルキー、１８…兼用釦
【図１】
2004246601.tif 000003
【図２】
2004246601.tif 000004
【図３】
2004246601.tif 000005
【図４】
2004246601.tif 000006
【図５】
2004246601.tif 000007
【図６】
2004246601.tif 000008
【図７】
2004246601.tif 000009
【図８】
2004246601.tif 000010
【図９】
2004246601.tif 000011
【図１０】
2004246601.tif 000012
【図１１】
2004246601.tif 000013
【図１２】
2004246601.tif 000014
【図１３】
2004246601.tif 000015
【図１４】
2004246601.tif 000016